(57)【特許請求の範囲】
【請求項１】
器枠内を前後方向に摺動する案内部材の前部に設けた連結部に、表示部材を起伏回動自在に取付けた支持部材を制限された範囲で水平回動可能に取付け、前記表示部材の向きを起立状態で左右方向に変更可能に構成した表示部材を備えた電子機器装置において、前記支持部材に、表示部材の起立時に第１位置に、その伏倒時に第２位置に移動可能な作動板を取付け、この作動板と前記連結部とのいづれか一方に修正軸を、またその他方に、前記修正軸を受容すると共に、作動板の第２位置で前記修正軸と合致する頂部と、該頂部から末広状に延びて作動板の第１位置で修正軸と左右方向で対向する左右１対の傾斜縁とから成る三角形状の修正孔をそれぞれ設けたことを特徴とする表示部材を備えた電子機器装置。
【請求項２】
表示部材の後部に、該表示部材の回動中心軸からの距離を異にして第１位置と第２位置とを形成する２つの直交する２面からなる作用面を形成し、この作用面に、作動板の前端部をバネにより圧接して成る請求項１記載の表示部材を備えた電子機器装置。
【発明の詳細な説明】
【０００１】
【発明の属する技術分野】
本願発明は、例えばディスプレーやテレビモニターなどの表示部材を、自動車のコンソールパネルなどに設けた器枠内に駆動機構を介して前後動自在に装備し、表示部材の前動位置で表示部材を起立回動してその表示面を視覚する表示部材を備えた電子機器装置に関する。
【０００２】
【従来の技術】
従来、ディスプレーやテレビモニターなどの表示部材を、自動車のコンソールパネルなどに設けた器枠内に駆動機構を介して前後動自在に装備し、表示部材の位置で表示部材を起立回動してその表示面を視覚する構成の表示部材を備えた電子機器装置は公知であり、従来公知の電子機器装置によれば、表示部材が前動して起立した状態でその表示面の向きを左右方向に変更できるように首振り可能に構成されている。
【０００３】
【発明が解決しようとする課題】
ところで、従来の構成によれば、表示部材を前動位置で起立した状態から、器枠内に収納するときは、先づ表示部材の表示面の向きが正面に位置するように手動により首振り回動し、次いで表示部材を水平状態に伏倒したのち、駆動機構により表示部材を後退移動するものであったので、表示部材を器枠内に収納する操作が面倒であるばかりでなく、表示部材がその水平状態で多少とも左右方向に偏位しているときは、表示部材の後退移動時に機械的無理が作用して損傷を与えたり、或いは動作の円滑性が損なわれたりするという不都合を有していた。
【０００４】
そこで本願の発明は、表示部材が起立状態で如何なる向きに指向している場合でも、該表示部材を水平状態に伏倒したとき、表示部材の向きが自動的に正しい向きに修正できるように構成して従来のものの不都合を解消することを目的としたものである。
【０００５】
【課題を解決するための手段】
本願発明は、上記した目的を達成するために、器枠内を前後方向に摺動する案内部材の前部に設けた連結部に、表示部材を起伏回動自在に取付けた支持部材を制限された範囲で水平回動可能に取付け、前記表示部材の向きを起立状態で左右方向に変更可能に構成した表示部材を備えた電子機器装置において、前記支持部材に、表示部材の起立時に第１位置に、その伏倒時に第２位置に移動可能な作動板を取付け、この作動板と前記連結部とのいづれか一方に修正軸を、またその他方に、前記修正軸を受容すると共に、作動板の第２位置で前記修正軸と合致する頂部と、該頂部から末広状に延びて作動板の第１位置で修正軸と左右方向で対向する左右１対の傾斜縁とから成る三角形状の修正孔をそれぞれ設けたことを特徴とするものである。
【０００６】
上記において、好ましくは、表示部材の後部に、該表示部材の回動中心軸からの距離を異にして第１位置と第２位置を形成する２つの直交する２面からなる作用面を形成し、この作用面に、作動板の前端部をバネにより圧接して成るものである。
【０００７】
【発明の実施の形態】
以下図面にもとづいて本願発明の実施例を詳述する。図１はディスプレーやテレビモニターなどの表示部材１が例えば自動車のコンソールパネルに設けた器枠２内に収納した状態を示す総体底面図であり、図２は、表示部材１が器枠２の前方位置に起伏可能な状態に引き出された状態を示す総体底面図である。
【０００８】
器枠２の左右内側面には前後方向に延びる摺動レール３，３に案内部材４の左右側部に設けた回転子５が係合してあり、これによって案内部材４は器枠２に対し、前後動自在に取付けられ、図示しないが、例えば特開平６−８７３８８号公報で公知のように案内部材に設けたモータと、このモータにより回転する歯車と、器枠に設けられて前後方向に延びて前記歯車と噛合するラック片とから成る駆動機構により案内部材４は器枠２に対し前後方向に駆動され、また表示部材と器枠２との間には配線用のフレキシブルケーブルが接続される。
【０００９】
前記案内部材４は、その前部に左右対称に傾斜して山形状に形成された連結部６を有しており、この連結部６の頂部位置には枢着軸７が設けてあり、この枢着軸７の左右位置には、該枢着軸７を向心点とする円弧状の案内孔８，８が対称にに設けてある。
【００１０】
また前記連結部６には、枢着軸７を通る中心線ｎ上に位置する頂部ａと、該頂部ａから後方に末広状に対称に延びる左右一対の傾斜縁ｂ，ｂによって形成された二等辺三角形状の修正孔９が設けてある。
【００１１】
前記連結部６には、支持部材１０が枢着軸７の位置で回動自在に取付けられており、この支持部材１０は、部厚く構成されていると共にその前部左右位置に、取付け部１１が突設してあり、前記修正孔９と対向位置には前後方向に長い通孔１２が、また左右位置には前記案内孔８，８にそれぞれ係合する係合ピン１３，１３がそれぞれ設けてある。
【００１２】
前記支持部材１０には、下面に表示面１５を有して表示部材１が、その後部左右位置に設けた嵌合部１６，１６内に前記取付け部１１を嵌合し、これらを連結軸１７により連結することにより回動自在に取付けてある。
【００１３】
前記表示部材１の後面中央位置には、表示部材１の回動中心点からの距離を異にする２つの直交する面ｃとｄを円弧面ｅにより連続して成る作用面１８が設けてあり、本例においては表示部材１の上面に窪み部１９を形成して表示部材１の回動中心点からの距離Ｌ１とＬ２とを異にした場合を示している。
【００１４】
前記支持部材１０の上面中央位置には、前端に前記作用面１８と当接する当接片２０を起立して設けた作動板２１が前後動可能に取付けてある。
【００１５】
即ち前記作動板２１には、図２，７で示すように、中心線ｎに沿う前後位置に前記枢着軸７に係合する長孔２２と、支持部材６に設けた軸片２３に係合する長孔２４とを有すると共に、その中間位置に、前記支持部材１０に設けた通孔１２を貫通して先端が前記修正孔９内に臨む修正軸２５が突設してあり、この作動板２１には、当接片２０を前記作用面１８に圧接するバネ２６が取付けてある。
【００１６】
上記したように、案内部材４の連結部６に、枢着軸７を支点として水平回動自在に取付けた支持部材１０と、この支持部材１０に起伏自在に取付けた表示部材１と、支持部材１０に対し前後動可能に取付けた作動板２１とは、不使用状態において図１で示すように案内部材４と共に器枠２内に収納されている。
【００１７】
しかして、表示部材１が収納されている図１の状態から図示しないが駆動機構を駆動すると、案内部材４は摺動レール３と回転子５との係合を介して前方に摺動して図２で示すように表示部材１は水平状態で器枠２の前方位置に引き出される。
【００１８】
この引き出し状態においては、図７で示すように作動板２１の垂直な当接片２０が、作用面１８における表示部材１の回動中心点からの距離Ｌ１の長い垂直なｃ面に圧接して表示部材１の水平状態を保持すると共に、作動板２１はバネ２６に抗して後退した状態におかれ、かつ修正軸２５は図２で示すように、修正孔９の頂部ａに合致して表示部材は支持部材１０と共に正しい向きに保持される。
【００１９】
この状態から手動により表示部材１を起立回動すると、作動板２１の当接片２０は作用面１８の垂直なｃ面から円弧面ｅを経て表示部材１の回動中心点からの距離Ｌ２が短い水平なｄ面に圧接し、この状態で表示部材１は起立して正面を指向すると共に、この状態は、作用面１８のｃ面に対する当接片２０の圧接により保持される。
【００２０】
この起立状態においては、図３，８で示すように、表示部材１の回動中心点からの距離Ｌ１とＬ２との差に相当して作動板２１が前動するので、修正軸２５は修正孔９の頂部ａより前方に離反し、修正軸２５は一対の傾斜縁ｂ，ｂとそれぞれ対向して左右方向に遊動可能な状態となる。
【００２１】
しかして、この状態から表示部材１の表示面１５の向きを変更すべく表示部材１を手動により図中右方向に回動すると、支持部材１０は枢着軸７を中心として時計方向に水平回動して図４で示す状態となり、また表示部材１を手動により図中左方向に回動すると、支持部材１０は枢着軸７を中心として反時計方向に水平回動して図５で示す状態となる。
【００２２】
また図３で示すように表示面１５が正面を指向している状態から表示部材１を手動により伏倒回動すると、表示部材１は水平状態に伏倒すると共に、作動板２１はバネ２６に抗して後退し、修正軸２４が修正孔９の頂部ａに再び合致して図２で示す状態に復元するので、この状態から図示しないが駆動機構を駆動すると案内部材４，支持部材１０及び表示部材１とが一体となって、器枠２内に収納される。
【００２３】
ところで図４で示すように、連結部６に対し支持部材１０が時計方向に水平回動して表示部材１の表示面１５が右方向に指向している状態から表示部材１を器枠２内に収納するときは、図４で示す状態から表示部材１を水平状に伏倒回動する。
【００２４】
すると、その伏倒回動に伴って作動板２１が後退すると共に、図６で示すように修正軸２５が対向する修正孔９の一方の傾斜縁ｂに当接し、次いで修正軸２５は傾斜縁ｂに沿って頂部ａの方向に移動する。
【００２５】
そしてその移動により作動板２１には図中反時計方向の回動力が作用するので、作動板２１と回動方向で一体の支持部材１０も亦枢着軸７を支点として同方向に回動する。
【００２６】
この回動作用は、作動板２１が充分に後退して、修正軸２５が修正孔９の頂部ａに合致するまで続けられ、これによって表示部材１の右方向の傾きは図２で示すように正しい向きに強制的に修正される。従ってこの状態から駆動機構を駆動すると、すでに述べたように図１で示す状態に表示部材１は器枠２内に収納される。
【００２７】
上記した作用は図５で示すように表示部材１が左向きに指向している場合においても同様であり、この場合は修正軸２５が修正孔９の他方の傾斜縁ｂに当接することになる。
【００２８】
上記した実施例は、修正軸２５を作動板２１に、また修正孔９を案内部材４の連結部６にそれぞれ設けた場合を示したが、図９は、修正軸２５を案内部材４の連結部６に、また修正孔９を作動板２１に設けた場合の他の実施例を示しており、この構成においては修正孔９の向きが図２で示す実施例の場合と１８０°異なる。
【００２９】
【発明の効果】
以上のように本願の発明によれば、表示部材が起立状態で右または左方向に指向している状態から水平状態に伏倒したとき、表示部材の向きが自動的に正しい向きに修正されるので、表示部材を器枠内に収納する操作が極めて容易であり、かつ、その収納時に無理な機械力が作用する惧れもないなどの利点を有する。また請求項２記載の構成によれば、作動板の前後動作と表示部材の起立状態及び伏倒状態の保持が確実に行われるという利点を有する。
【図面の簡単な説明】
【図１】表示部材の収納状態を示す総体底面図
【図２】表示部材を引き出した状態を示す総体底面図
【図３】表示部材を起立した状態を示す総体底面図
【図４】表示部材の右向き状態を示す総体底面図
【図５】表示部材の左向き状態を示す総体底面図
【図６】表示部材の半起立状態を示す総体底面図
【図７】表示部材の水平状態における要部の断面図
【図８】表示部材の起立状態における要部の断面図
【図９】図２に対応する他の実施例図
【符号の説明】
１  表示部材
２  器枠
３  摺動レール
４  案内部材
６  連結部
７  枢着軸
ａ  頂部
ｂ  傾斜縁
９  修正孔
１０  支持部材
１１  取付部
１５  表示面
１６  嵌合部
１７  連結軸
１８  作用面
１９  窪み部
２０  当接片
２１  作動板
２５  修正軸
２６  バネ
【図１】
0003744139.tif 000002
【図２】
0003744139.tif 000003
【図３】
0003744139.tif 000004
【図４】
0003744139.tif 000005
【図５】
0003744139.tif 000006
【図６】
0003744139.tif 000007
【図７】
0003744139.tif 000008
【図８】
0003744139.tif 000009
【図９】
0003744139.tif 000010